(57)【要約】【課題】  非撮影時は撮像レンズ体を覆って保護し、撮影時にスライドさせて撮像レンズ体を表出させるスライドカバー部を備えた電子カメラに於いて、簡単な構成で撮影時はスライドカバー部が閉じないように係止し、スライドカバー部を閉じるときは、撮像レンズ体が収納されてスライドカバー部と干渉しない状態になったときにスライドカバー部が撮像レンズ体を保護する位置に移動できるようにし、かつ、ユーザがスライドカバー部を撮像レンズ体と干渉する時期に強引に閉じようとしても、レンズの収納動作に影響を与えないようにした撮像装置を提供する。【解決手段】  スライドカバー部の第２の位置から第１の位置への移動を規制する規制部材と、規制部材と弾性部材で結合され、規制部材をスライドカバー部の係止する状態と係止しない状態に移動させるカム部材と、カム枠に設けられ、カム部材に設けられたスライドカバー係止用被カム部を案内してカム部材を移動させるカム溝とを用いて規制機構を構成した。【選択図】  図８
2006065254.tif 000002
【特許請求の範囲】
【請求項１】
撮像レンズ体を撮像装置本体に収納された収納状態と、繰り出された撮影状態との間で光軸方向に繰り出し可能に構成したカム枠と、前記撮像装置本体に設けられて収納状態の前記撮像レンズ体を覆う第１の位置と、前記撮像レンズ体を撮影状態へ繰り出し可能な第２の位置との間をスライド可能に配置したスライドカバー部と、
前記スライドカバー部の第２の位置から第１の位置への移動を規制する規制部材と、
前記規制部材と弾性部材で結合され、該規制部材をスライドカバー部を係止する状態と係止しない状態に切り換え駆動するカム部材と、
前記カム枠に設けられ、前記カム部材に設けられた被カム部と係合するカム溝とを備えることを特徴とする撮像装置。
【請求項２】
前記カム溝は、前記被カム部を案内して前記被カム部材を移動させ、前記弾性部材で結合された規制部材をスライドカバー部を係止する状態と係止しない状態に切り換え駆動することを特徴とする請求項１に記載した撮像装置。
【請求項３】
前記カム溝は、前記撮像レンズ体を収納状態から撮影状態へ移動させた場合、前記規制部材をスライドカバー部を係止する状態へ移動させるよう設けられていることを特徴とする請求項１または２に記載した撮像装置。
【請求項４】
前記弾性部材は、前記規制部材が係止しない状態への移動が規制された状態で、前記カム枠が、撮像レンズ体を収納状態へ移動させることを阻まない強さであることを特徴とする請求項１乃至３のいずれかに記載した撮像装置。
【請求項５】
前記カム部材は前記弾性部材を係止する突起を有し、該突起は、前記カム部材に前記弾性部材により、前記規制部材の係止しない状態へ移動させる力を加えさせる位置に設けられていることを特徴とする請求項１乃至４のいずれかに記載した撮像装置。
【請求項６】
撮像レンズ体と、該撮像レンズ体を撮像装置本体に収納した収納状態と、撮影状態との間で光軸方向に繰り出すカム枠と、前記撮像装置本体に設けられて収納状態の前記撮像レンズ体を覆う第１の位置と、前記撮像レンズ体を撮影状態へ繰り出し可能な第２の位置との間をスライド可能に配置されるスライドカバー部と、前記撮像装置本体に保持されて前記スライドカバー部の第１の位置から第２の位置への移動を規制する位置と規制しない位置とに移動可能とした規制部材と、該規制部材と弾性部材で結合され、前記規制部材をスライドカバー部の規制する位置と規制しない位置に移動させるカム部材と、前記カム枠に設けられ、前記カム部材に設けられた被カム部と係合するカム溝とを備えることを特徴とする撮像装置。
【発明の詳細な説明】
【技術分野】
【０００１】
本発明は、電子カメラ（デジタルカメラ）等における撮像装置に関し、特に、撮像レンズ体を保護するため非撮影時は撮像レンズ体を覆い、撮影時にスライドさせて撮像レンズ体を表出させるスライドカバー部を備えた沈胴式の電子カメラに於いて、撮像レンズ体を繰り出した状態から沈胴させて撮像レンズ体をスライドカバー部で覆うとき、沈胴しきっていない撮像レンズ体にスライドカバー部が当たり、撮像レンズ体を破損するなどの不具合を生じることがないようにした撮像装置に関するものである。
【背景技術】
【０００２】
電子カメラ（デジタルカメラ）はフィルムを用いたカメラと異なり、撮像素子として用いられるＣＣＤ（電荷結合素子）などの画素数が増大しているにもかかわらず、素子自体の大きさがそれほど大型化していないため、小型化、薄型化、低価格化が進んでいる。
【０００３】
こういった小型化、薄型化の方法としては、非撮影時はレンズをカメラ本体に収納し、撮影時のみレンズを被写体方向に突出させる沈胴式、レンズの直径でカメラの厚みを規制し、光軸をカメラの高さ方向として撮影時に高さ方向を被写体に向けたり、プリズムや反射鏡で光軸を直角に曲げて厚さ方向を被写体に向けて撮影できるようにして、レンズ系の長さを変えないようにした方式などが実用化されている。
【０００４】
このうち、レンズを沈胴式とする方式では、非撮影時に沈胴しているレンズを保護するためにスライドカバーを設け、そのスライドカバーをスライドさせてレンズを表出させたときにメインスイッチが入るようにして沈胴していたレンズを繰り出し、スライドカバーを閉じる方向にスライドさせることで、レンズをカメラ本体に収納した後メインスイッチを切ってスライドカバーでレンズを覆うようにしたカメラが提案されている。
【０００５】
そしてこのようなカメラでは、スライドカバーを閉じる方向にスライドさせたとき、レンズが収納される前にスライドカバーがレンズに衝突してレンズを破損するのを防止するため、スライドカバーが開いたときにロックをかけ、レンズとスライドカバーが干渉しない状態になって始めてロックを解除できるようにした、スライドカバーの係止装置を有したカメラが特許文献１に紹介されている。また同様に、スライドカバー状のレンズバリアが開状態となるとスイッチが入ってレンズが繰り出し、その繰り出し動作に伴ってストッパーが突出してレンズバリアの不用意な閉動作を阻止するようにすると共に、レンズの収納動作に連動させてストッパーをレンズバリアを閉じることのできる位置に移動させるカメラ（以下従来技術１と称する）なども存在する。
【０００６】
【特許文献１】特開平１０−２０６９２８号公報
【発明の開示】
【発明が解決しようとする課題】
【０００７】
しかしながら、特許文献１に示されたカメラは、ラックやギア、クラッチ機構を用いる複雑な構成であり、また、従来技術１のカメラに用いられている技術では、例えばスライドカバーがカメラから突出するよう構成したカメラの場合、ユーザがスライドカバーをストッパーに強い力で押し当てたときにレンズの収納動作に影響を与えるという懸念がある。
【０００８】
そのため本発明においては、簡単な構成によりスライドカバー部で撮像レンズ体を破損したり、ユーザの強引な操作で撮像レンズ体を収納することが妨げられたりしない規制部材を備える撮像装置を提供することが課題である。
【課題を解決するための手段】
【０００９】
上記課題を解決するため本発明におけるレンズ駆動装置は、
撮像レンズ体を撮像装置本体に収納された収納状態と、繰り出された撮影状態との間で光軸方向に繰り出し可能に構成したカム枠と、前記撮像装置本体に設けられて収納状態の前記撮像レンズ体を覆う第１の位置と、前記撮像レンズ体を撮影状態へ繰り出し可能な第２の位置との間をスライド可能に配置したスライドカバー部と、
前記スライドカバー部の第２の位置から第１の位置への移動を規制する規制部材と、
前記規制部材と弾性部材で結合され、該規制部材をスライドカバー部を係止する状態と係止しない状態に切り換え駆動するカム部材と、
前記カム枠に設けられ、前記カム部材に設けられた被カム部と係合するカム溝とを備えることを特徴とする。
【００１０】
このように、スライドカバー部により収納状態では撮像レンズ体を覆って保護し、スライドさせることで撮像レンズ体を表出させることのできるスライドカバー部を備えた電子カメラに於いて、規制部材をカム部材と弾性部材で結合し、かつ、カム部材を撮像レンズ体移動用のカム枠に設けたカム溝で移動させる、という簡単な機構で部材を係止する状態と係止しない状態に移動させることで、前記した特許文献１に示されているような複雑な構成を取ることなくスライドカバー部と撮像レンズ体の衝突やそれによる撮像レンズ体の破損を防止することができる。また、規制部材をこの係止する状態と係止しない状態に移動させるカム部材は、規制部材と弾性部材で結合されているから、ユーザがスライドカバー部を撮像レンズ体と干渉する時期に強引に閉じようとし、規制部材の動作を止めても、カム枠は問題なく撮像レンズ体を収納状態に移動させることができる撮像装置を提供することができる。
【００１１】
また、前記カム溝は、前記被カム部を案内して前記被カム部材を移動させ、前記弾性部材で結合された規制部材をスライドカバー部を係止する状態と係止しない状態に切り換え駆動すること、及び前記カム溝は、前記撮像レンズ体を収納状態から撮影状態へ移動させた場合、前記規制部材をスライドカバー部を係止する状態へ移動させるよう設けられていることが、本発明の好適な実施例である。
【００１２】
さらに前記弾性部材は、前記規制部材が係止しない状態への移動が規制された状態で、前記カム枠が、撮像レンズ体を収納状態へ移動させることを阻まない強さとすることで、前記したようにユーザがスライドカバー部を撮像レンズ体と干渉する時期に強引に閉じようとし、規制部材の動作を止めても、カム枠は問題なく撮像レンズ体を収納状態に移動させることができる撮像装置を提供することができる。
【００１３】
そして、前記カム部材は前記弾性部材を係止する突起を有し、該突起は、前記被カム部材に前記弾性部材により、前記規制部材の係止しない状態へ移動させる力を加えさせる位置に設けられていることにより、カム部材は規制部材が係止する状態から係止しない状態方向へ移動させる動きを助けるから、前記したようにユーザがスライドカバー部を撮像レンズ体と干渉する時期に強引に閉じようとし、規制部材の動作を止めても、それが開放されたとき、すぐに規制部材が係止しない状態方向へ移動し、スライドカバー部は第１の位置へ移動することができる。
【００１４】
また、前記課題を解決するため本発明におけるレンズ駆動装置は、
撮像レンズ体と、該撮像レンズ体を撮像装置本体に収納した収納状態と、撮影状態との間で光軸方向に繰り出すカム枠と、前記撮像装置本体に設けられて収納状態の前記撮像レンズ体を覆う第１の位置と、前記撮像レンズ体を撮影状態へ繰り出し可能な第２の位置との間をスライド可能に配置されるスライドカバー部と、前記撮像装置本体に保持されて前記スライドカバー部の第１の位置から第２の位置への移動を規制する位置と規制しない位置とに移動可能とした規制部材と、該規制部材と弾性部材で結合され、前記規制部材をスライドカバー部の規制する位置と規制しない位置に移動させるカム部材と、前記カム枠に設けられ、前記カム部材に設けられた被カム部と係合するカム溝とを備えることを特徴とする。
【００１５】
このように撮像装置を構成することで、前記したように撮像装置本体から突出したスライドカバー部を、ユーザが撮像レンズ体と干渉する時期に強引に閉じようとして部材の動作を止めても、カム枠は問題なく撮像レンズ体を収納状態に移動させることができ、簡単な構成で規制部材を係止する状態と係止しない状態に移動させることのできる撮像装置を提供することができる。
【発明の効果】
【００１６】
以上記載のごとく本発明によれば、簡単な構成によりスライドカバー部で撮像レンズ体を破損したり、ユーザの強引な操作で撮像レンズ体を収納することが妨げられたりしない撮像装置を提供することができる。
【発明を実施するための最良の形態】
【００１７】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
【００１８】
図１乃至図４は、本発明のレンズ駆動装置及び撮像装置を備えた一例の電子カメラの概略を説明するための図であり、図１は非撮影状態の電子カメラ１０を正面側（被写体側）から示す斜視図、図２は電子カメラ１０を同じく背面側から示す斜視図、図３は撮影時の電子カメラ１０を正面側から見た図、図４は同じく背面側から見た図である。
【００１９】
図示の電子カメラ１０は、撮像装置本体１１を有し、この撮像装置本体１１の前面（正面：被写体）側には、撮像レンズ体２１（図３参照）が装着されている。この撮像レンズ体２１は、レンズユニットの一部を構成し、図示はしないが、レンズユニットはさらにシャッタ機構及びＣＣＤ（電荷結合素子）を有している。
【００２０】
さらに、撮像装置本体１１にはスライドカバー部１２が装着され、このスライドカバー部１２は、撮像装置本体１１に、図１に実線矢印で示す方向にスライド可能に支持されており、このスライドカバー部１２によって非撮影時には撮像レンズ体２１が保護される。つまり、スライドカバー部１２は撮像レンズ体２１を覆う第１の位置と撮像レンズ体２１を露出させる第２の位置との間でスライド可能となっている。
【００２１】
このスライドカバー部１２は、正面側に位置する正面部（レンズカバー部）１２ａ、正面側から見て右側面側に位置する右側面部１２ｂと、背面側に位置する背面部（表示部カバー部）１２ｃとを有しており、撮像装置本体１１を正面部１２ａと背面部１２ｃとで挟むようにして、撮像装置本体１１にスライド可能に配置されている。図示の例では、正面部１２ａから右側面部１２ｂにわたって、つまり、二面にわたってストロボ発光部１３が形成されており（スライドカバー部１２が開く方向の端部側において、スライドカバー部１２の前面及び少なくとも前面に連続する側面にストロボ発光部を形成する）、このストロボ発光部１３からストロボ撮影の際、光が発光される。なお、上述の例では、撮像装置本体１１、撮像レンズ体２１、スライドカバー部１２によって撮像装置１６が構成される。
【００２２】
図２に示すように、撮像装置本体１１の背面には表示部（例えば、液晶ディスプレイ）１４が配置されるとともに、操作部１５が配置されており、操作部１５には、例えば、レリーズボタン、モードダイヤル、及び各種ファンクションキー等が備えられている。そして、前述の第１の位置にスライドカバー部１２が位置付けられている際には、背面部１２ｃによって液晶ディスプレイ１４の一部分が覆われた状態となる（背面部１２ｃは液晶ディスプレイ１４の全てを覆うようにしてもよいが、少なくとも液晶ディスプレイ１４の一部を覆うようにすればよい）。
【００２３】
図３及び図４を参照して、電子カメラ１０で撮影を行う際には、スライドカバー部１２を閉状態である第１の位置から開状態である第２の位置にスライドさせる。これによって、図３に示すように、撮像レンズ体２１が露出し、主電源がオン状態となって、液晶ディスプレイ１４が明るくなるが、このとき実施形態になる電子カメラ１０は、スライドカバー部１２を単に撮像レンズ体２１を露出させて第２の位置に移動させるだけでなく、さらに引き出すことによって主電源がオン状態になり、また、カバー部１２が撮像レンズ体２１を覆う第１の位置に戻すときも、同様にして開位置の第２の位置からさらにスライドカバー部１２を引き出すことで、撮像レンズ体２１が沈胴し、かつ、スライドカバー部１２が第１の位置に戻すことができるようになると共に主電源がオフ状態となるよう構成されている。
【００２４】
また、スライドカバー部１２を第１の位置から第２の位置にスライドさせると、図４に示すように、スライドカバー部１２の背面部１２ｃがスライドして、液晶ディスプレイ１４の全てが露出することになる。また、スライドカバー１２のスライドによってストロボ発光部１３は撮像レンズ体２１の取付位置よりもさらに外側に移動することになって、ストロボ撮影の際には、撮像レンズ体２１とストロボ発光部１３との距離が大きくなり、赤目現象などを防止することができる。
【００２５】
図３に示すように、シャッターボタン２２は撮像装置本体１１の上面の一端部側に配置されており、スライドカバー部１２はシャッターボタン２２の配置された一端部側とは逆の端部側方向にスライドする。これによって、電子カメラ１０を両手で把持して撮影を行う際、シャッターボタン操作を行う手とは別の手でスライドカバー部１２をスライド操作することができる。
【００２６】
ストロボ撮影を行う際には、操作部１５によってストロボ撮影モードをオンするとともに、各種撮影モード、画像再生モード、及びフラッシュ待ち時間等を設定する。この各種撮影モードには、例えば、「通常撮影」、「連写撮影」、「ファイン撮影」、「静止画」、及び「動画」等があり、画像再生モードには「静止画」及び「動画」等がある。そして、画像再生モードを設定すると、撮影後液晶画面１４に撮影した画像が再生表示される。これら各種撮影モード、画像再生モード、及びフラッシュ待ち時間等は動作モードと呼ばれ、撮像装置本体１１に収納されたマイクロプロセッサ（制御手段及び電源オン手段：図示せず）は、動作モードに応じて光の強さ、色を変化させることや、点滅させる等、ストロボ発光部１３からの発光を制御することができる。
【００２７】
前述のシャッタ機構は、例えば、オートフォーカス（ＡＦ）機構、絞り機構、及びフィルタ機構等を有しており、レリーズ時における露光を制御する。撮像レンズ体２１から入射した被写体等の光学像は、ＣＣＤに結像されて光学像が電気信号に変換される。そして、マイクロプロセッサによってＣＣＤからの出力信号（電気信号）は、所定のサンプリング周波数でサンプリングされてデジタル値（デジタル画像データ）に変換され、デジタル画像データを色差成分と輝度成分に分けて、例えばＪＰＥＧ（Ｊｏｉｎｔ  Ｐｈｏｔｏｇｒａｐｈｉｃ  Ｅｘｐｅｒｔｓ  Ｇｒｏｕｐ）準拠の画像圧縮／伸長のための直交変換及びハフマン符号化／復号化等の処理が行われる。そして、このようにして圧縮処理された画像データは一旦メモリに記憶される。
【００２８】
つまり、図示の電子カメラでは、レリーズボタン又はシャッターボタン２２を押下する以前から、ＣＣＤによって捉えられている画像を液晶ディスプレイ１４にリアルタイムで表示し、液晶ディスプレイ１４は電子的に撮像視野を確認するための電子ファインダ機能を有しており、この電子ファインダを観察しつつ、レリーズボタン等を操作して撮像を行うことになる。この際、必要に応じてストロボ発光部１３を発光させ、撮像によって得られた画像データは、ファンクションキーによって再生操作を行うと、随時撮像結果として液晶ディスプレイ１４に表示される。
【００２９】
このようにして、液晶ディスプレイ１４には撮像前及び撮像中のデジタル画像データがリアルタイムで表示され、電子ファインダとして機能し、さらに、撮像後のデジタル画像データ及び伸長されて復元された記録画像データが表示される。また、液晶ディスプレイ１４には電子カメラの動作状態等のモード表示が行われる。なお、電子カメラの電源部には、バッテリーが用いられ、バッテリーは、Ｎｉ−Ｃｄ（ニッケルカドミウム）電池、ニッケル水素電池、又はリチウム電池等が用いられる。
【００３０】
図示の電子カメラでは、ストロボ発光部１３を撮像装置１６の前面（被写体側の面）から少なくとも前面に連続する一側面にわたって形成するようにしたから、ストロボ撮影の際、簡単な構成で広範囲にストロボ発光部１３から光を照射することができることになり、しかもストロボ発光部１３の発光状況を被写体側のみならず、撮影者側からも容易に視認することができる。
【００３１】
また、ここでは、撮像レンズ体２１を保護するスライドカバー部（レンズカバー）１２にストロボ発光部１３を配置して、スライドカバー部１２が開く方向の端部側において、スライドカバー部１２の前面及び少なくとも前面に連続する側面にストロボ発光部１３を形成するようにしたから、スライドカバー部１２をスライドさせて撮像レンズ体２１を露出させた際には、ストロボ発光部１３と撮像レンズ体２１との距離が大きくなり、ストロボ撮影の際に生じる赤目現象を低減できる。
【００３２】
さらに、スライドカバー部１２は前面部と背面部とを有し、前面部によって撮像レンズ体２１が覆われている際には、背面部によって液晶ディスプレイ１４の少なくとも一部が覆われるようにしたので、非撮影時においては、スライドカバー部１２によって撮像レンズ体２１が保護されると共に、液晶ディスプレイ１４の保護も行われる。また、前記したようにスライドカバー部１２をスライドさせて撮像レンズ体２１を露出させた時に主電源がオンされるようにし、また逆に、スライドカバー部１２をスライドさせて撮像レンズ体２１を該スライドカバー部１２によって覆うと、電源がオフされるようにしたので、使用動作と主電源のオン・オフが一致しており、電源のオフを失念することがない。
【００３３】
加えて、シャッターボタン２２を撮像装置本体の上面の一端部側に配置して、スライドカバー部１２はシャッターボタン２２の配置された一端部側とは逆の端部側方向にスライドするようにしたから、電子カメラ１０を両手で把持して撮影を行う際、シャッターボタン２２の操作を行う手（指）とは別の手でスライドカバー部１２をスライド操作することができ、操作性が向上されることになる。
【００３４】
図１２は撮像装置本体１１とスライドカバー部１２とを分解して示す斜視図である。図示の例では、撮像装置本体１１内に収納されるマイクロプロセッサ等の各種制御要素等は省略されている。撮像装置本体１１の一側面（撮像装置本体１１の背面側から見て左側面）には他側面（右側面）側に延びる中空部３１が形成されており、図示の例では、この中空部３１は角筒状に成形されている。この中空部３１の四辺（一側面側から他側面側に延びる四辺）には、フレーム部材（ガイド部材）３１ａ〜３１ｄが配置され、このフレーム部材３１ａ〜３１ｄによって中空部３１が規定されている。なお、この中空部３１は、スライドカバー部１２が第１の位置に位置付けられて、撮像レンズ体２１が覆われた際、後述するようにして、フレームカバー部１２が収納される奥行きを有している。
【００３５】
図１２に示したように、スライドカバー部１２は略角柱状のフレーム体（挿入体）１２１を有しており、フレーム体１２１の前面（正面）から側面に渡って前述のストロボ発光部１３が取り付けられている。図１２に於けるフレーム体１２１の正面１２１ａ、側面１２１ｂ、及び背面１２１ｃには、前記した正面部１２ａ、側面部１２ｂ、及び背面部１２ｃが取り付けられる。そして、フレーム体１２１の上面１２１ｄ及び下面１２１ｅは、フレーム体１２１の正面１２１ａ及び背面１２１ｃに比べてその長手方向寸法が短く成形されて切り欠き部１２１ｆを形成しており、図３から明らかなように、フレームカバー部１２が撮像レンズ体２１を露出させる第２の位置にスライドされたとき、この切り欠き部１２１ｆの存在によってスライドカバー部１２の内部が外部空間と連通する。
【００３６】
そしてフレーム体１２１の内部空間には、ストロボ発光部１３に接続され、ストロボ発光部１３に高電圧（ストロボ電圧）を供給するストロボユニット（図示せず）が配設されている。ストロボユニットの長手方向寸法は、フレーム体１２１の上面１２１ｄ及び下面１２１ｅの長手方向長さ未満とされ、ストロボユニットはフレーム体１２１の正面１２１ａ、側面１２１ｂ、背面１２１ｃ、上面１２１ｄ、下面１２１ｅで規定される内部空間に収納されている。
【００３７】
フレーム体１２１の正面１２１ａ及び背面１２１ｃの長手方向辺（長手方向エッジ）１２２ａ〜１２２ｄ（エッジ１２２ｂは示されていないが、エッジ１２２ａに対向するエッジである）は、それぞれガイド部材として機能するフレーム部材３１ａ〜３１ｄ（このフレーム部材３１ａ、３１ｃはフレーム部材３１１の端部であり、フレーム部材３１ｂ、３１ｄもフレーム部材３１１と同様な他のフレーム部材の端部である）に案内されて、前述の中空部３１に挿入される。これによって、フレーム体１２１、つまり、スライドカバー部１２が中空部３１に挿入されることになるが、フレーム体１２１は、上面１２１ｄ又は下面１２１ｅのいずれかが中空部３１を規定する奥行き側端部に当接した際、その挿入が停止される。この位置が前述した第１の位置である。
【００３８】
前述のように、フレーム体１２１の正面１２１ａ及び背面１２１ｃはその長手方向長さが上面１２１ｄ及び１２１ｅよりも長いから、フレーム部材３１ａ〜３１ｄに案内されつつ中空部３１から出てそれぞれ撮像装置本体１１の正面及び背面に沿って図１２の左方向に移動することになる。この結果、第１の位置においては、フレーム体１２１の正面１２１ａ（つまり、スライドカバー部１２の正面部１２ａ）及びフレーム体１２１の背面１２１ｃ（つまり、スライドカバー部１２の背面部１２ｃ）によってそれぞれ撮像レンズ体２１及び液晶表示部１４が覆われることになる。
【００３９】
このようにして、スライドカバー部１２を撮像装置本体１１に形成された中空部３１に収納すると、スライドカバー部１２によって撮像レンズ体２１及び液晶ディスプレイ１４がスライドカバー部１２の一部によって覆われ、しかもスライドカバー部１２の表面にストロボ発光部１３を形成して、ストロボ発光部１３に電圧を印加するストロボユニット４３をスライドカバー部１２内に収納するようにしたから、つまり、非撮像時においては、スライドカバー部１２が撮像装置本体１１内に収納されるから、非撮影時におけるカメラ寸法を小さくすることができることになる。  
【００４０】
図５乃至図７は、実施形態の撮像装置に於けるレンズ駆動装置を説明するための図である。前記した撮像レンズ体２１は、一例として複数のレンズを一体として移動できるようにした単焦点レンズで、非撮影時は、前記した電子カメラ１０の撮像装置本体１１内に収納して撮影時に突出させる沈胴式である。
【００４１】
図５（Ａ）は、レンズ駆動装置を組み込んだレンズ体２１における、カム部材であるカムリング５３とレンズ枠収納部材であるリニアリング５２を組み込んだ状態の斜視図、（Ｂ）はリニアリング５２を取ってカムリング５３の組み込み状態を示した斜視図、（Ｃ）は複数のレンズ５１を収容して一体化したレンズ枠５０のみを撮像側となる後ろから見た斜視図である。また図６（Ａ）はカムリング５２とカム部材であるカムピン５４の関係を示した斜視図、図６（Ｂ）はスライドカバー部１２が前記開位置である第２の位置にあるとき、第１の位置への移動を阻止するスライドカバー部８０（図１１乃至図１１参照）を動作させるカム溝６６を示した斜視図、図７はカムリング５３の駆動系を示した斜視図である。
【００４２】
レンズ駆動装置を構成する撮像レンズ体２１は、図５（Ｃ）に示したように、複数のレンズ５１を一体的に保持するレンズ枠５０と、図５（Ｂ）に示したようにレンズ枠５０の周囲に設けられたカム部材であるカムリング５３、さらに図５（Ａ）に示したように、カムリング５３の周囲に設けられたレンズ枠収納部材であるリニアリング５２とからなり、図上、上側が被写体側で下側に図示はしていないが、撮像素子としてのＣＣＤなどが配置される。
【００４３】
このうちレンズ枠５０には、図５（Ｃ）に示したようなネジ孔５５が等間隔となるよう３個所に設けられ、このネジ孔５５に、被カム部材である平行ピンを用いたカムピン５４が螺合されて植立されている。このカムピン５４は図１３（Ａ）に示したように、カムリング５３に設けられたカム部材であるカム溝５６、６３、及び図５（Ａ）に示したリニアリング５２に設けられたガイド部材であるリニア溝６２を挿通し、図５（Ａ）のようにリニアリング５２の外側まで突出している。
【００４４】
カムリング５３には、図５（Ｂ）、図６（Ａ）に示したように、第１のカム部である傾斜の急なカム溝５６と、第２のカム部である緩やかな傾斜のカム溝６３、及び図６（Ｂ）に示したようにカム溝６６が設けられ、その底部に設けられた回転伝達溝５７に、図７に示したモータ７０からの駆動力がウォームギア７１、平歯車７２、７３、７４、７５などで構成される駆動系を介して伝えられ、回転できるようになっている。このうち第１のカム部である傾斜の急なカム溝５６は、撮像レンズ体２１を非撮影状態から撮影状態にするためのレンズ繰り出し用のカム溝であり、第２のカム部である緩やかな傾斜のカム溝６３は、オートフォーカス用のカム溝である。
【００４５】
そして、前記したように、これらカム溝５６、６３を挿通してカムピン５４がリニアリング５２の外側まで突出していることにより、従来のようにテーパピンを用いた場合と異なり、衝撃などがあってもカムピン５４がカム溝５６、６３から外れるということがないから、金属などを用いてカムリング５３の肉厚を薄くでき、それだけ撮像レンズ体２１を小型に構成できる。また、第２のカム部である緩やかな傾斜のカム溝６３は、図上、上部にカムピン５４をこのカム溝６３に入れるための導入部を備えて開放され、その開放部を設けたことで、カムリング５３の光軸方向長さを短くできて撮像レンズ体２１の全長を小さくできると共に、カム上部６５にバネ性が生じ、落下などの衝撃に対して強く、カムピン５４の組み込み性の良い撮像レンズ体２１を提供することができる。
【００４６】
一方、図５（Ａ）に示したようにリニアリング５２には、このカムピン５４を光軸方向のみに移動させるためのガイド部であるリニア溝６２が設けられており、そのため、カム溝５６、６３、リニア溝６２を挿通して端部がリニアリング５２の外側に突出しているカムピン５４は、このリニア溝６２に案内されて移動範囲を制限されながら光軸方向の直進のみができるようになっている。また、リニアリング５２には、リニア溝６２を移動するカムピン５４がカムリング５３におけるカム溝６３に至ったとき、カムピン５４を撮像側に押しつけるため、リニアリング５２の外側におけるリニア溝６２近傍で、カムリング５３における第２のカム溝６３の中央付近に対応した位置に配置されたピン５８にコイル部を保持されると共に、一端をピン６０で係止され、他端をピン６１に係止できるようにした板バネ５９が設けられている。なお、以下の説明では、板バネ５９を用いた場合を例に説明するが、コイルバネを用いても良いことは勿論である。
【００４７】
図８乃至図１０は、規制機構を示した図であり、図８（Ａ）はスライドカバー部１２のレンズカバー部１２ａが第２の位置に位置したときを示した斜視図、図８（Ｂ）はスライドカバー部１２のレンズカバー部１２ａが第１の位置に位置したときを示した斜視図、図９は規制機構を構成するカム部材８２の被カム部（カムピン）８５と弾性部材８８、突起８６、８７、弾性部材８８と規制部材８０などを示した斜視図、図１０は規制機構とスライドカバー部１２の関係を説明するための斜視図、図１１はカムリング、リニアリングとレンズ枠に設けたカムピンや被カム部材８２の動きを説明するための模式図、図１３は規制部材８０の、撮像装置本体に設けられたフレーム部材３１１への取り付け状況を示した図である。
【００４８】
実施形態の規制機構は、図８、図１３に示したように、撮像装置本体１１に設けられたフレーム部材３１１に、スライドカバー部１２が開位置である第２の位置から第１の位置への移動を阻止する規制する状態と、移動を可能とする規制しない状態とに移動できるよう保持され、スプリング係止部８１に弾性部材（スプリング）８８を係止した規制部材８０、その規制部材８０を前記規制する状態と規制しない状態に移動させて切り換え駆動するカム部材８２、該カム部材８２を揺動させるカムリング５３に設けられた規制機構用カム溝６６などで構成される。なお、このカム溝６６は、レンズ枠５０を撮影状態へ移動させるカム溝５６、６３における、撮像レンズ体２１を収納状態から撮影状態へ移動させるタイミングで、規制部材８０をレンズカバー１２１ａの係止する状態へ移動させるよう設けられている。
【００４９】
さらにカム部材８２は、図９にその詳細を示したように、撮像装置本体１１に設けられたピン８９（図１０参照）を挿通させて、このピン８９に弾性部材（スプリング）８８を掛けるためのピン孔８３、規制機構用カム溝６６で案内される被カム部（カムピン）８５を挿入させる被カム部である係止用ピン孔８４、弾性部材８８の移動範囲を制限する突起８６、弾性部材８８の端部を係止し、規制部材８０を規制しない位置へ移動させる力を加える位置に設けられている突起８７などを有して構成されている。なお、弾性部材８８は、規制部材８０がレンズカバー部１２１ａとの衝突等で規制しない状態への移動が止められた状態でも、カムリング５３の、撮像レンズ体２１を収納状態へ移動させることを阻まない強さとしてある。
【００５０】
次にこのレンズ駆動装置と規制機構の動作を図８、図１０、図１１を用いて説明すると、まず図８（Ａ）、図１０（Ａ）は、前記したようにスライドカバー部１２のレンズカバー部１２ａが、開状態である第２の位置に位置したときを示した図、図８（Ｂ）、図１０（Ｃ）はスライドカバー部１２のレンズカバー部１２１ａが閉状態となった第１の位置に位置したときを示した図、図１０（Ｂ）は図１０（Ａ）の状態から、規制部材８０が規制しない状態位置に移動した時を示した斜視図、図１１（Ａ）は、図５（Ｂ）、図６に示したカムリング５３におけるカム溝５６、６３、規制機構用カム溝６６を平面に展開して示したものであり、図１１（Ｂ）は同じく、カムリング５３におけるカム溝５６、６３によって移動してゆくカムピン５４の動きと板バネ５９との関係を明確に示せるように、リニアリング５２におけるリニア溝６２と板バネ５９におけるコイル部を保持するピン５８、一端と他端を係止するピン６０、ピン６１のみを示したものである。なお、規制機構用カム溝６６は、撮像レンズ体２１を撮影状態へ移動させるカム溝５６における、撮像レンズ体２１を収納状態から撮影状態へ移動させるタイミングで、規制部材８０をレンズカバー１２１ａの係止する状態へ移動させるよう設けられており、図６（Ａ）、（Ｂ）からあきらかなように、回転伝達機構５７とは略反対側となる位置に設けられているが、わかりやすくするため、上記タイミングで一致するよう本来の位置とはずらせて示してある。
【００５１】
そして図１１（Ｃ）、（Ｄ）、（Ｅ）は、非撮影時における撮像レンズ体２１を電子カメラ１０の撮像装置本体１１内に収納した状態（Ｃ）から、撮像レンズ体２１が撮影可能位置に達した状態（Ｄ）、撮像レンズ体２１が最近接撮影位置に達した状態（Ｅ）のそれぞれにおける、カムリング５３、カムピン５４、板バネ５９、カム部材８２の動きをリニアリング５２におけるリニア溝６２を中心に示したもので、この間、カムリング５３は、図７に示したモータ７０の回転が、ウォームギア７１、平歯車７２、７３、７４、７５などで構成される駆動系を介して図５（Ｂ）、図６、図７に示した回転伝達溝５７に伝えられ、矢印６４方向に動いてカムピン５４、カム部材８２を動かしてゆく。
【００５２】
まず図１１（Ｃ）は、非撮影時における撮像レンズ体２１を電子カメラ１０の撮像装置本体１１内に収納した状態であり、図８（Ｂ）、図１０（Ｃ）がこれに相当する。このときカムピン５４は、リニア溝６２の最下端に位置していて、板バネ５９は、その一端がピン６１にかかっている。また、カム部材８２は、規制機構用カム溝６６の一番上の部分にいて、弾性部材８８で結合された規制部材８０は、図８（Ｂ）、図１０（Ｃ）に示したように、レンズカバー１２１ａの規制しない状態となっている。この状態で、前記したようにスライドカバー部１２をスライドさせて開き、撮像レンズ体２１を露出させる第２の位置に移動させ、さらにスライドカバー部１２を引き出すと主電源がオン状態になる。そのため、図７に示したモータ７０が回転し、図５（Ｂ）、図６、図７に示した回転伝達溝５７に伝えられて、カムリング５３が矢印６４の方向に動き、カムピン５４、カム部材８２における被カム部（カムピン）８５を動かす。
【００５３】
そして、カム部材８２における被カム部（カムピン）８５が、図１１（Ｄ）に８２ａで示したように規制機構用カム溝６６によって図１０に示したピン８９を中心に回動して下げられ、そのため、規制部材８０が上がり、図８（Ａ）、図１０（Ａ）に示したように、レンズカバー１２１ａの係止する状態に位置する。そのため、スライドカバー部１２はこれ以後、主電源をオフする動作がおこなわれるまで、第１の位置への移動が阻止される。また、カム溝５６は、前記したように撮像レンズ体２１を非撮影状態から撮影状態にするためのレンズ繰り出し用のカム溝であり、カムリング５３が動くことにより、カムピン５４が図１１（Ｄ）の位置、すなわちオートフォーカス用の緩やかな傾斜のカム溝６３の端に達すると、撮像レンズ体２１は撮影可能位置となって焦点が無限遠に合う。そしてこの時、一端がピン６１にかかっていた板バネ５９が、このカムピン５４に当接する。
【００５４】
そして、図示していない測距装置がカメラから被写体までの距離を測ると、それがカムリング５３のカム溝６３における位置の信号となって図７に示したモータ７０に与えられ、モータ７０の回転が回転伝達溝５７に伝えられて、カムリング５３がさらに矢印６４の方向に回転させられ、カムピン５４が図上、上方（被写体側）に移動する。このとき、板バネ５９の一端がこのカムピン５４にかかり、カムピン５４をカム溝６３方向に付勢するが、このカム溝６３は傾斜が緩やかになっているため、図７に示したモータ７０の駆動トルクは、カム溝５６でカムピン５４を移動させていたときと大きく異なることはなく、均一化が図られている。
【００５５】
そしてカメラと被写体が、カメラで扱える最近接距離となった場合、カムピン５４は図１１（Ｅ）に示した位置までゆき、そこで止まる。このとき、カム溝６３の図上、カムピン５４の上方にはカム溝６３の導入部の存在によって何もなくなるが、カムピン５４は板バネ５９の一端でしっかり押さえられているから、外れたり撮像レンズ体２１がガタ付いたりすることはない。また、板バネ５９の一端を、傾斜の急なカム溝５６の部分でもカムピン５４にかけるようにした場合はバネの設置スペースが必要になるが、このように精度が必要であるオートフォーカス領域である緩やかな傾斜のカム溝６３のみで用いることにより、そういったスペースも不要となる。さらに、カムピン５４として平行ピンを使い、リニアリング５２の外側まで突出させたから、衝撃を与えてもカムピン５４が外れるということはない。
【００５６】
この状態でスライドカバー部１２が、前記したように開位置の第２の位置からさらに引き出されると、主電源を完全にオフ状態とする準備が始まる。すなわち、まず、スライドカバー部１２を閉状態の第１の位置へ戻すことができる状態へ移行するため、図７に示したモータ７０が逆方向に回転し、それが図５（Ｂ）、図６、図７に示した回転伝達溝５７に伝えられて、カムリング５３が矢印６４とは逆方向に動き、カムピン５４、カム部材８２における被カム部（カムピン）８５を、今まで説明したのとは逆方向に動かしてゆく。
【００５７】
すなわちカムピン５４は、図１１（Ｅ）に示した位置にある時はカムリング５３が動くことによって図１１（Ｄ）の位置、すなわちオートフォーカス用の緩やかな傾斜のカム溝６３の端に達し、撮像レンズ体２１は焦点が無限遠となり、カムピン５４に当接していた板バネ５９がピン６１にかかる。そのため、カムピン５４はフリーに動くことになり、さらにカムリング５３が動いてカムピン５４がカム溝５６の図上一番下に達すると、撮像レンズ体２１は収納位置となり、被カム部材８２は、図１１（Ｄ）のカム部材８２ａのように規制部材８０をレンズカバー１２１ａの規制しない状態とする位置の始端に達する。
【００５８】
そしてさらにカムリング５３が動き、図１１（Ｃ）の位置に達すると、カム部材８２が水平となって規制部材８０が図１０（Ｂ）に示したようにレンズカバー１２１ａの係止する状態から係止しない状態となり、スライドカバー部１２は図８（Ｂ）、図１０（Ｃ）のように、第１の位置から第２の位置に移動することが可能となり、主電源が完全にオフとなる。
【００５９】
なお、前記した第２の位置からさらスライドカバー部１２を引き出すと、主電源を完全にオフ状態とする準備が始まり、撮像レンズ体２１を収納状態にしてスライドカバー部１２を第１の位置に移動できるようになるまでは０．２秒程度かかるが、ユーザによってはこの時間を待つことができず、第２の位置からさらスライドカバー部１２を引き出してスライドカバー部１２を第１の位置に動かせるようになってすぐに第１の位置へ動かす動作を行う可能性がある。この場合、規制部材８０が係止しない状態に移動しておらず、レンズカバー１２１ａが規制部材８０に当たり、例えカム部材８２が図１１（Ｃ）のように規制部材８０を係止しない状態に移動させる状態になっても、規制部材８０を係止しない状態に移動させない状態となる場合がある。
【００６０】
しかし本実施形態においては、カム部材８２と規制部材８０とは弾性部材８８で結合されているから、図９に示したように、カム部材８２における弾性部材８８が撓んで規制部材８０を係止しない状態の位置方向へ付勢する力を掛けはするが、カム部材８２はカムリング５２の動きによって図１１（Ｃ）の状態になることが妨げられることはなく、ユーザがスライドカバー部１２の規制部材８０方向への力を緩めれば規制部材８０は係止しない状態に移動し、スライドカバー部１２は第１の位置に移動することができる。
【００６１】
このように、スライドカバー部１２により収納状態では撮像レンズ体２１を覆って保護し、スライドさせることで撮像レンズ体２１を表出させることのできるスライドカバー部１２を備えた電子カメラに於いて、規制部材８０をカム部材８２と弾性部材８８で結合し、かつ、カム部材８２を撮像レンズ体移動用のカム枠（カムリング）５２に設けた規制機構用カム溝６６で移動させる、という簡単な機構で規制部材８０を係止する状態と係止しない状態に移動させることで、前記した特許文献１に示されているような複雑な構成を取ることなくスライドカバー部１２と撮像レンズ体２１の衝突やそれによる撮像レンズ体２１の破損を防止することができる。また、規制部材８０をこの係止する状態と係止しない状態とに切り換え駆動するカム部材８２は、規制部材８０と弾性部材８８で結合されているから、ユーザがスライドカバー部１２を撮像レンズ体２１と干渉する時期に強引に閉じようとし、規制部材８０の動作を止めても、カム枠５２は問題なく撮像レンズ体２１を収納状態に移動させることができる撮像装置を提供することができる。
【産業上の利用可能性】
【００６２】
本発明によれば、簡単な構成によりスライドカバー部で撮像レンズ体を破損したり、ユーザの強引な操作で撮像レンズ体を収納することが妨げられたりしない規制部材を備える撮像装置を提供することができる。
【図面の簡単な説明】
【００６３】
【図１】本発明のレンズ駆動装置及び撮像装置を備えた一例の電子カメラにおける、非撮影状態を正面側（被写体側）から示した斜視図である。
【図２】本発明のレンズ駆動装置及び撮像装置を備えた一例の電子カメラにおける、非撮影状態を背面側から示した斜視図である。
【図３】本発明のレンズ駆動装置及び撮像装置を備えた一例の電子カメラにおける、撮影時を正面側（被写体側）から見た斜視図である。
【図４】本発明のレンズ駆動装置及び撮像装置を備えた一例の電子カメラにおける、撮影時を背面側から見た斜視図である。
【図５】（Ａ）は、レンズ駆動装置を組み込んだレンズ体２１における、カム部材であるカムリング５３とレンズ枠収納部材であるリニアリング５２を組み込んだ状態の斜視図、（Ｂ）はリニアリング５２を取ってカムリング５３の組み込み状態を示した斜視図、（Ｃ）は複数のレンズ５１を収容して一体化したレンズ枠５０のみを撮像側となる後ろから見た斜視図である。
【図６】Ａ）はカムリング５２とカム部材であるカムピン５４の関係を示した斜視図、図６（Ｂ）はスライドカバー部１２が前記第２の位置である第２の位置にあるとき、第１の位置である第１の位置への移動を阻止するスライドカバー部８０（図８乃至図１１参照）を動作させるカム溝６６を示した斜視図である。
【図７】カムリング５３の駆動系を示した斜視図である。
【図８】（Ａ）はスライドカバー部１２のレンズカバー部１２ａが開状態である第２の位置に位置したときを示した斜視図、図８（Ｂ）はスライドカバー部１２のレンズカバー部１２ａが閉状態となった第１の位置に位置したときを示した斜視図である。
【図９】規制機構を構成するカム部材８２の被カム部（カムピン）８５と弾性部材８８、突起８６、８７、弾性部材８８と規制部材８０などを示した斜視図である。
【図１０】規制機構とスライドカバー部１２の関係を説明するための斜視図である。
【図１１】カムリング、リニアリングとレンズ枠に設けたカムピンやカム部材８２の動きを説明するための模式図である。
【図１２】撮像装置本体１１とスライドカバー部１２とを分解して示す斜視図である。
【図１３】規制部材８０の、撮像装置本体に設けられたフレーム部材３１１への取り付け状況を示した図である。
【符号の説明】
【００６４】
５３  カムリング
５６、６３  カム溝
５７  回転伝達機構
６５  カム上部
６６  カム溝
８０  スライドカバー係止部材
８１  スプリング係止部
８２  カム部材
８３  ピン孔
８４  被カム部係止用ピン孔
８８  弾性部材（スプリング）
【図１】
2006065254.tif 000003
【図２】
2006065254.tif 000004
【図３】
2006065254.tif 000005
【図４】
2006065254.tif 000006
【図５】
2006065254.tif 000007
【図６】
2006065254.tif 000008
【図７】
2006065254.tif 000009
【図８】
2006065254.tif 000010
【図９】
2006065254.tif 000011
【図１０】
2006065254.tif 000012
【図１１】
2006065254.tif 000013
【図１２】
2006065254.tif 000014
【図１３】
2006065254.tif 000015